(57)【要約】【課題】簡単な構造でありながら係止突起の破損を確実に防止することができるコネクタを提供する。【解決手段】コネクタ１は、コネクタハウジング２とレバー部材３と係止突起４と保護部５とを備えている。コネクタハウジング２は、ハウジング本体２１とフード部２２とを備えている。レバー部材３は、コネクタハウジング２に仮係止位置と本係止位置とに亘って回転自在に取り付けられ、仮係止位置から本係止位置に回転することによってコネクタハウジング２を相手方のコネクタ１０と嵌合させる。係止突起４は、フード部２２の外壁２２ａの外表面に設けられ、かつ、本係止位置に位置付けられたレバー部材３と係合する。保護部５は、レバー部材３に一対設けられ、レバー部材３が仮係止位置に位置付けられると互いの間に係止突起４を位置付ける。【選択図】図３
2009117059.tif 000002
【特許請求の範囲】
【請求項１】
端子金具を収容する端子収容室を有するコネクタハウジングと、
前記コネクタハウジングに仮係止位置と本係止位置とに亘って回転自在に取り付けられ、該仮係止位置から該本係止位置に回転することによって前記コネクタハウジングを相手方のコネクタと嵌合させるレバー部材と、
前記コネクタハウジングの外表面に設けられ、かつ、前記本係止位置に位置付けられた前記レバー部材と係合する係止突起と、を備えたコネクタにおいて、
前記レバー部材に一対設けられ、該レバー部材が前記仮係止位置に位置付けられると互いの間に前記係止突起を位置付ける保護部を備えたことを特徴とするコネクタ。
【請求項２】
前記仮係止位置に位置付けられた前記レバー部材の回転を規制する回転規制手段を備えたことを特徴とする請求項１に記載のコネクタ。
【請求項３】
前記レバー部材が、互いの間に前記コネクタハウジングを位置付ける一対の側板部と、該一対の側板部のそれぞれの側板部同士を互いに連結する連結板部と、を備えるとともに、
前記保護部が、前記それぞれの側板部から突出して設けられたことを特徴とする請求項１または請求項２に記載のコネクタ。
【請求項４】
前記レバー部材が前記仮係止位置に位置付けられた際の前記保護部の前記コネクタハウジングの前記外表面からの突出量が、前記係止突起の前記コネクタハウジングの前記外表面からの突出量よりも大きくなるように設けられたことを特徴とする請求項３に記載のコネクタ。
【発明の詳細な説明】
【技術分野】
【０００１】
本発明は、電線の接続等に使用されるコネクタに関する。
【背景技術】
【０００２】
移動体としての自動車には多くの電子機器が搭載されており、電子機器はワイヤハーネスを介して自動車や他の電子機器と接続されている。ワイヤハーネスは、複数の電線と、該電線のそれぞれの端末に取り付けられたコネクタとを備えている。ワイヤハーネスと電子機器とは、それぞれが備えたコネクタ同士が嵌合することにより接続され、ワイヤハーネスは電子機器に電力や制御信号等を伝達する。また、ワイヤハーネスのコネクタ同士が嵌合して、ワイヤハーネスが延長されることもある。
【０００３】
このようなコネクタ同士の嵌合を容易かつ確実に行うために、従来から多種多様のレバー式のコネクタが用いられている（例えば、特許文献１及び２参照）。このようなコネクタは、例えば、端子金具を収容する端子収容室を有するコネクタハウジングと、該コネクタハウジングに仮係止位置と本係止位置とに亘って回転自在に取り付けられたレバー部材と、該コネクタハウジングの外表面に設けられて本係止位置に位置付けられたレバー部材と係合する係止突起とを備えている。
【０００４】
レバー部材は、互いの間にコネクタハウジングを位置付ける一対の側板部と、該一対の側板部のそれぞれの側板部同士を互いに連結する連結板部とを備え、略コ字状に形成されている。一対の側板部には、それぞれ、相手方のコネクタの突出ピンが通されるカム孔が設けられている。また、連結板部には、コネクタハウジングの係止突起と係合する係合部が設けられている。
【０００５】
このコネクタと相手方のコネクタとを嵌合させる際には、まず、レバー部材を仮係止位置に位置付けて、カム孔を相手方のコネクタに相対する方向に開口させる。このとき、係止突起はコネクタハウジングの外表面に露出されている。そして、コネクタハウジングと相手方のコネクタのコネクタハウジングとを軽く嵌合させてカム孔内の開口部近傍に相手方のコネクタの突出ピンを位置付ける。
【０００６】
その後、レバー部材を仮係止位置から本係止位置に向かって回転させていくと、突出ピンがカム孔内の奥側に引き込まれて相手方のコネクタがコネクタに引き寄せられていく。そして、レバー部材を本係止位置に位置付けてコネクタと相手方のコネクタとを完全に嵌合させるとともに、レバー部材の係合部とコネクタハウジングに設けられた係止突起とを係合させてレバー部材を本係止位置で固定する。このとき、係止突起は、レバー部材に覆われている。
【特許文献１】特開２００１−２５０６３８号公報
【特許文献２】特開２００２−２０３６４２号公報
【発明の開示】
【発明が解決しようとする課題】
【０００７】
しかしながら、前述した特許文献１及び２に記載されたコネクタの係止突起は、レバー部材が本係止位置に位置付けられるまではコネクタハウジングの外表面に露出されているので、レバー部材が本係止位置に位置付けられていない状態でコネクタ（を備えたワイヤハーネス）が搬送されると、係止突起が他のワイヤハーネス等とぶつかって破損してしまうといった問題があった。
【０００８】
このような係止突起の破損を防止するために、係止突起の近傍に該係止突起を保護する保護壁が設けられていることが多いが、この保護壁によって、コネクタハウジングを成形する金型が複雑になったり、コネクタハウジング（即ちコネクタ）が大型化したりするといった問題があった。また、コネクタの形状による制約や金型の構造上の制約によっては、保護壁を設けることができない場合もあった。
【０００９】
本発明は、このような問題を解決することを目的としている。即ち、本発明は、簡単な構造でありながら係止突起の破損を確実に防止することができるコネクタを提供することを目的としている。
【課題を解決するための手段】
【００１０】
前記課題を解決し目的を達成するために、請求項１に記載された発明は、端子金具を収容する端子収容室を有するコネクタハウジングと、前記コネクタハウジングに仮係止位置と本係止位置とに亘って回転自在に取り付けられ、該仮係止位置から該本係止位置に回転することによって前記コネクタハウジングを相手方のコネクタと嵌合させるレバー部材と、前記コネクタハウジングの外表面に設けられ、かつ、前記本係止位置に位置付けられた前記レバー部材と係合する係止突起と、を備えたコネクタにおいて、前記レバー部材に一対設けられ、該レバー部材が前記仮係止位置に位置付けられると互いの間に前記係止突起を位置付ける保護部を備えたことを特徴としたコネクタである。
【００１１】
請求項２に記載された発明は、請求項１に記載されたコネクタにおいて、前記仮係止位置に位置付けられた前記レバー部材の回転を規制する回転規制手段を備えたことを特徴としたコネクタである。
【００１２】
請求項３に記載された発明は、請求項１または請求項２に記載されたコネクタにおいて、前記レバー部材が、互いの間に前記コネクタハウジングを位置付ける一対の側板部と、該一対の側板部のそれぞれの側板部同士を互いに連結する連結板部と、を備えるとともに、前記保護部が、前記それぞれの側板部から突出して設けられたことを特徴としたコネクタである。
【００１３】
請求項４に記載された発明は、請求項３に記載されたコネクタにおいて、前記レバー部材が前記仮係止位置に位置付けられた際の前記保護部の前記コネクタハウジングの前記外表面からの突出量が、前記係止突起の前記コネクタハウジングの前記外表面からの突出量よりも大きくなるように設けられたことを特徴としたコネクタである。
【発明の効果】
【００１４】
請求項１に記載された発明によれば、レバー部材に一対設けられ、該レバー部材が仮係止位置に位置付けられると互いの間に係止突起を位置付ける保護部を備えているので、他の部品等が係止突起に近づいても保護部と接触して係止突起とは接触せず、係止突起の破損を確実に防止することができる。また、コネクタ単体での搬送からワイヤハーネス等の製品を構成する構成部品の１つとしての搬送時において、係止突起の破損を防止できるので、工程途中でのコネクタや前記製品の交換等の発生がなくなり、不良品、時間的なロス等が発生しないので、品質の維持に貢献することができる。
【００１５】
請求項２に記載された発明によれば、仮係止位置に位置付けられたレバー部材の回転を規制する回転規制手段を備えているので、一対の保護部が係止突起を保護する仮係止位置にレバー部材を係止することによって、係止突起の破損を確実に防止することができる。
【００１６】
請求項３に記載された発明によれば、レバー部材が、互いの間にコネクタハウジングを位置付ける一対の側板部と、該一対の側板部のそれぞれの側板部同士を互いに連結する連結板部とを備えるとともに、保護部がそれぞれの側板部から突出して設けられているので、簡単な構造でありながら係止突起の破損を確実に防止することができる。
【００１７】
請求項４に記載された発明によれば、レバー部材が仮係止位置に位置付けられた際の保護部のコネクタハウジングの外表面からの突出量が、係止突起のコネクタハウジングの外表面からの突出量よりも大きくなるように設けられているので、レバー部材が仮係止位置に位置付けられると一対の保護部の間に係止突起全体が位置付けられ、係止突起の破損を確実に防止することができる。
【発明を実施するための最良の形態】
【００１８】
以下、本発明の一実施形態にかかるコネクタ１を図１ないし図４を参照して説明する。本発明の一実施形態にかかるコネクタ１は、図１中に一点鎖線で示す相手方のコネクタ１０と嵌合して、自動車等に配索されるワイヤハーネスを構成する。
【００１９】
相手方のコネクタ１０は、図１に示すように、雄型の端子金具としての雄端子（図示せず）と、コネクタハウジング１１とを備えている。雄端子は、導電性の板金等からなり、電線と接続される電線接続部と、電気接触部とを一体に備えている。
【００２０】
コネクタハウジング１１は、絶縁性の合成樹脂等からなり、筒状に形成されている。コネクタハウジング１１は、雄端子を収容する。また、コネクタハウジング１１には、突出ピン１２と、解除リブ１３とが設けられている。
【００２１】
突出ピン１２は、コネクタハウジング１１の外壁からこのコネクタハウジング１１の外方向に突出している。突出ピン１２は、コネクタハウジング１１の幅方向（図１中、左上・右下方向）の中央に設けられている。突出ピン１２は、互いの間にコネクタハウジング１１の軸心を位置付けるように一対設けられている。
【００２２】
解除リブ１３は、コネクタハウジング１１の外壁からこのコネクタハウジング１１の外方向に突出している。解除リブ１３は、コネクタ１と相手方のコネクタ１０とが接離する方向に沿って設けられている。なお、接離とは、コネクタ１と相手方のコネクタ１０とが互いに近づいたり離れたりすることを示している。解除リブ１３は、コネクタハウジング１１の幅方向に沿って突出ピン１２と並んで設けられ、突出ピン１２よりも該幅方向の端部寄りに設けられている。解除リブ１３は、一対の突出ピン１２のそれぞれの突出ピン１２の近傍に配されて、一対設けられている。
【００２３】
コネクタ１は、図１及び図３に示すように、雌型の端子金具としての雌端子（図示せず）と、コネクタハウジング２と、レバー部材３と、係止突起４と、保護部５と、回転規制手段６（図３）とを備えている。なお、雌端子とコネクタハウジング２とは、それぞれ、特許請求の範囲に記載の端子金具とコネクタハウジングとに相当する。
【００２４】
雌端子は、導電性の板金等からなり、電線接続部と、電気接触部とを一体に備えている。電線接続部は、複数の加締め片を備えている。電線接続部は、加締め片が電線の端末等を加締めて、この電線の芯線と電気的に接続する。電気接触部は、筒状に形成され、内部に前述した雄端子の電気接触部が進入することによってこの雄端子と電気的に接続する。
【００２５】
コネクタハウジング２は、図１及び図２に示すように、ハウジング本体２１と、フード部２２と、パッキン２３（図２）とを備えている。ハウジング本体２１は、絶縁性の合成樹脂等からなり、筒状に形成されている。ハウジング本体２１は、端子収容室２４を複数有している。端子収容室２４は、直線状に延びており、互いに平行に配されている。端子収容室２４は、雌端子を収容する。
【００２６】
フード部２２は、絶縁性の合成樹脂等からなり、筒状に形成されている。フード部２２は、内部にハウジング本体２１を収容する。フード部２２は、ハウジング本体２１と隙間２ａをあけて配されている。フード部２２には、図２に示すように、レバー支持突起２５と、突出ピン通し孔２６と、突出部２７とが設けられている。
【００２７】
レバー支持突起２５は、円柱状に形成され、フード部２２の外壁２２ａからフード部２２の外方向に突出している。レバー支持突起２５は、フード部２２の幅方向（図２中、左右方向）の中央に設けられている。レバー支持突起２５は、互いの間にフード部２２の軸心を位置付けるように一対設けられている。レバー支持突起２５は、レバー部材３の回転中心をなしている。
【００２８】
突出ピン通し孔２６は、フード部２２の外壁２２ａを貫通している。突出ピン通し孔２６は、相手方のコネクタ１０と相対するフード部２２の端部からフード部２２の軸心に沿ってフード部２２の中央に向かって直線状に延びている。突出ピン通し孔２６は、前記フード部２２の端部に開口している（図２ないし図４中、一部を点線で示す）。突出ピン通し孔２６は、互いの間にフード部２２の軸心を位置付けるように一対設けられている。突出ピン通し孔２６は、内部に相手方のコネクタ１０の突出ピン１２を通す。
【００２９】
突出部２７は、フード部２２の外壁２２ａからフード部２２の外方向に突出している。突出部２７は、相手方のコネクタ１０と相対するフード部２２の端部に設けられ、突出ピン通し孔２６及び後述する仮係止孔２８と直交している。突出部２７は、互いの間にフード部２２の軸心を位置付けるように一対設けられている。突出部２７は、前記フード部２２の端部に開口した突出ピン通し孔２６及び仮係止孔２８の開口部を覆うとともに、これら開口部と連通する凹部２７ａ（図１）を有している。また、この突出部２７の相手方のコネクタ１０から離れた端部には、レバー部材３の後述する側板部３１及び保護部５の外縁を内部に通す凹溝２７ｂ（図１）が設けられている。
【００３０】
パッキン２３は、ゴム等の弾性材料からなり、筒状に形成されている。パッキン２３は、ハウジング本体２１とフード部２２との間の隙間２ａに配され、該隙間２ａの奥側に配されている。コネクタハウジング２と相手方のコネクタ１０とが嵌合すると、前記隙間２ａに相手方のコネクタ１０のコネクタハウジング１１の外壁が進入して、この外壁がパッキン２３を押圧してパッキン２３を弾性変形させる。パッキン２３は弾性復元して、この外壁と前記隙間２ａとの間を水密に保ってコネクタ１内に水等の液体が浸入するのを防止する。このようなパッキン２３を有した所謂防水コネクタとしてのコネクタ１と相手方のコネクタ１０とを嵌合させる際には大きな力が必要となって確実に嵌合させるのが難しいが、コネクタ１はレバー部材３を備えているので、小さな力で確実に相手方のコネクタ１０と嵌合させることができる。
【００３１】
レバー部材３は、図１に示すように、一対の側板部３１と、連結板部３２と、カム孔３３と、本係止アーム３４とを備え、全体として略コ字状に形成されている。
【００３２】
一対の側板部３１は、平板状に形成され、互いに間隔をあけて互いに平行に配されている。一対の側板部３１の中央には、それぞれ、丸孔３５が設けられている。丸孔３５の内径は、レバー支持突起２５の外径より僅かに大きい。丸孔３５内には、レバー支持突起２５が通される。レバー部材３は、一対の側板部３１が互いの間にコネクタハウジング２を位置付けるようにフード部２２の外壁２２ａの外表面に重ねられ、かつ、丸孔３５内にレバー支持突起２５が通されて、これら丸孔３５及びレバー支持突起２５を中心として回転自在にコネクタハウジング２に取り付けられる。レバー部材３は、後述する仮係止位置と本係止位置とに亘って回転自在にコネクタハウジング２に取り付けられる。連結板部３２は、一対の側板部３１の一端部同士を互いに連結する。
【００３３】
カム孔３３は、一対の側板部３１のそれぞれの側板部３１に設けられている。カム孔３３は、側板部３１を貫通し、側板部３１の外縁に開口している（図３及び図４中、一部を一点鎖線で示す）。カム孔３３は、丸孔３５を中心とした周方向に沿うように設けられ、前記側板部３１の外縁から側板部３１の中央に向かって延びている。カム孔３３は、前記側板部３１の外縁から中央に向かうにしたがって、徐々に丸孔３５即ち回転中心としてのレバー支持突起２５に近づく方向に延びている。また、レバー部材３が仮係止位置に位置付けられると、図３に示すように、前記側板部３１の外縁に開口したカム孔３３の開口部とコネクタハウジング２の突出ピン通し孔２６とが連通して、カム孔３３内に相手方のコネクタ１０の突出ピン１２が進入可能である。
【００３４】
本係止アーム３４は、図１に示すように、連結板部３２の側板部３１寄りの内面に設けられている。本係止アーム３４は、一対の平行部３４ａと、該一対の平行部３４ａの長手方向の一端同士を連結する直交部３４ｂとを備え、略コ字状のアーム状に形成されている。一対の平行部３４ａは、それぞれ、一対の側板部３１と平行に配されている。平行部３４ａの長手方向の他端（仮係止位置のレバー部材３寄りの他端）は、前述した連結板部３２の内面に連なっている。
【００３５】
係止突起４は、図１等に示すように、コネクタハウジング２の外表面としてのフード部２２の外壁２２ａの外表面に設けられている。係止突起４は、外壁２２ａの外表面からフード部２２の外方向に突出している。係止突起４は、フード部２２の周方向において一対のレバー支持突起２５の間に設けられている。係止突起４の相手方のコネクタ１０から離れた端部（仮係止位置のレバー部材３寄りの端部）には、テーパ面が設けられている。
【００３６】
前述した構成の本係止アーム３４と係止突起４とは、レバー部材３が本係止位置に近づくと、本係止アーム３４の直交部３４ｂが係止突起４と当接してテーパ面を乗り上げて、直交部３４ｂが連結板部３２の内面に近づく方向に弾性変形する。そして、レバー部材３が本係止位置に位置付けられると、直交部３４ｂが係止突起４を乗り越えて弾性復元するとともに、一対の平行部３４ａの間に係止突起４が位置付けられて、本係止アーム３４と係止突起４とが係合する。
【００３７】
保護部５は、図１に示すように、レバー部材３に一対設けられている（なお、図３及び図４中の斜線部分を保護部５とする）。保護部５は、一対の側板部３１のそれぞれの側板部３１の端部から、該側板部３１と同一平面方向に沿って突出して設けられている。一対の保護部５は、図３に示すように、レバー部材３が仮係止位置に位置付けられると、コネクタハウジング２の外表面としてのフード部２２の外壁２２ａの外表面から突出し、互いの間に係止突起４を位置付ける。また、このとき、前記外表面からの保護部５の突出量Ｐ１は、前記外表面からの係止突起４の突出量Ｐ２よりも大きくなるように設けられている。即ち、一対の保護部５が互いに相対する方向に沿って、一対の保護部５の間に係止突起４全体が位置付けられる（一対の保護部５の間から係止突起４が突出しない）。
【００３８】
回転規制手段６は、図３及び図４に示すように、コネクタハウジング２に設けられた仮係止孔２８と、レバー部材３に設けられた仮係止アーム３６とを備えている。仮係止孔２８は、フード部２２の外壁２２ａを貫通している。仮係止孔２８は、相手方のコネクタ１０と相対するフード部２２の端部からフード部２２の軸心に沿ってフード部２２の中央に向かって直線状に延びている。仮係止孔２８は、突出ピン通し孔２６と平行に設けられ、突出ピン通し孔２６よりもフード部２２の幅方向の端部寄りに設けられている。仮係止孔２８は、前記フード部２２の端部に開口している（図２ないし図４中、一部を点線で示す）。仮係止孔２８は、一対の突出ピン通し孔２６のそれぞれの突出ピン通し孔２６の近傍に配されて、一対設けられている。
【００３９】
仮係止アーム３６は、一対の側板部３１のそれぞれの側板部３１に設けられている。仮係止アーム３６は、側板部３１に連なるアーム本体と、アーム本体に設けられた突部とを備えている。アーム本体は、丸孔３５を中心とした径方向に沿うように設けられている。アーム本体の丸孔３５寄りの一端は側板部３１に連なり、丸孔３５から離れた他端は自由端とされている。アーム本体は、他端がレバー部材３の外方向（図３及び図４中、紙面手前方向）に変位するように弾性変形自在である。突部は、アーム本体の前述した他端に設けられ、該他端からレバー部材３の内方向（図３及び図４中、紙面奥方向）に向かって突出している。
【００４０】
前述した構成の回転規制手段６は、レバー部材３が図３に示す仮係止位置に位置付けられると、仮係止アーム３６の突部が仮係止孔２８内に通されることによって、仮係止位置に位置付けられたレバー部材３の回転を規制して仮係止位置にレバー部材３を係止する。なお、この回転規制手段６は、前述した相手方のコネクタ１０の解除リブ１３によって解除される。即ち、コネクタハウジング２に相手方のコネクタ１０を近づけていくと、仮係止孔２８内に通された突部が、仮係止孔２８に進入した解除リブ１３によって仮係止孔２８外に押し出される。
【００４１】
前述した構成のコネクタ１を組み立てて、相手方のコネクタ１０と嵌合させる際には、まず、一対の側板部３１をコネクタハウジング２の外壁２２ａの外表面に重ねて、丸孔３５内にレバー支持突起２５を通す。レバー部材３を、レバー支持突起２５を中心として回転自在にコネクタハウジング２に取り付ける。
【００４２】
続いて、レバー部材３を仮係止位置に位置付ける。仮係止位置とは、図３に示すレバー部材３の位置である。このとき、前述したようにレバー部材３の仮係止アーム３６はコネクタハウジング２の仮係止孔２８に通されており、レバー部材３は仮係止位置に係止される。また、このとき、一対の保護部５の間に係止突起４全体が位置付けられる。そして、例えば、他のワイヤハーネスのコネクタや電線等が係止突起４に近づいても、保護部５の先端と接触するのみで、保護部５間に配された係止突起４とは接触することがない。
【００４３】
そして、相手方のコネクタ１０をコネクタハウジング２に近づける。すると、相手方のコネクタ１０の突出ピン１２が、突出ピン通し孔２６に通されて、カム孔３３の側板部３１の外縁に開口した開口部内に通される。また、このとき、前述したように相手方のコネクタ１０の解除リブ１３がコネクタハウジング２の仮係止孔２８内に通されて、回転規制手段６を解除する。
【００４４】
その後、レバー部材３を、レバー支持突起２５を中心として矢印Ｋ（図３）に沿った方向に回転させる。すると、突出ピン１２がカム孔３３内の奥側に進入していき、相手方のコネクタ１０がコネクタハウジング２に徐々に近づく。
【００４５】
そして、レバー部材３を本係止位置に位置付け、レバー部材３の本係止アーム３４と係止突起４とを係合させる。本係止位置とは、図４に示すレバー部材３の位置である。このとき、レバー部材３の本係止アーム３４はコネクタハウジング２の係止突起４と係合しており、レバー部材３の矢印Ｋと反対方向への回転は規制されている。また、レバー部材３の側板部３１の端部とコネクタハウジング２の突出部２７の端部とが当接して、本係止位置からさらに矢印Ｋに沿った方向への回転も規制されている。
【００４６】
レバー部材３が本係止位置に位置付けられると、カム孔３３のレバー支持突起２５寄りの端部（最奥部）に突出ピン１２が位置付けられて、コネクタ１と相手方のコネクタ１０とが嵌合し、雄端子の電気接触部が雌端子の電気接触部内に進入して雄端子と雌端子とが電気的に接続される。以上のように、レバー部材３を仮係止位置から本係止位置に回転させて、コネクタハウジング２（即ちコネクタ１）と相手方のコネクタ１０とを嵌合させる。
【００４７】
本実施形態によれば、レバー部材３に一対設けられ、該レバー部材３が仮係止位置に位置付けられると互いの間に係止突起４を位置付ける保護部５を備えているので、他の部品等が係止突起４に近づいても保護部５と接触して係止突起４とは接触せず、係止突起４の破損を確実に防止することができる。また、コネクタ単体での搬送からワイヤハーネス等の製品を構成する構成部品の１つとしての搬送時において、係止突起４の破損を防止できるので、工程途中でのコネクタ１や前記製品の交換等の発生がなくなり、不良品、時間的なロス等が発生しないので、品質の維持に貢献することができる。
【００４８】
仮係止位置に位置付けられたレバー部材３の回転を規制する回転規制手段６を備えているので、一対の保護部５が係止突起４を保護する仮係止位置にレバー部材３を係止することによって、係止突起４の破損を確実に防止することができる。
【００４９】
レバー部材３が、互いの間にコネクタハウジング２を位置付ける一対の側板部３１と、該一対の側板部３１のそれぞれの側板部３１同士を互いに連結する連結板部３２とを備えるとともに、保護部５がそれぞれの側板部３１から突出して設けられているので、簡単な構造でありながら係止突起４の破損を確実に防止することができる。
【００５０】
レバー部材３が仮係止位置に位置付けられた際の保護部５のフード部２２の外壁２２ａの外表面からの突出量Ｐ１が、係止突起４のフード部２２の外壁２２ａの外表面からの突出量Ｐ２よりも大きくなるように設けられているので、レバー部材３が仮係止位置に位置付けられると一対の保護部５の間に係止突起４全体が位置付けられ、係止突起４の破損を確実に防止することができる。
【００５１】
本実施形態においては、回転規制手段６は、コネクタハウジング２に設けられた仮係止孔２８と、レバー部材３に設けられた仮係止アーム３６とを備えていた。しかしながら本発明では、回転規制手段６はこれらに限定されることはなく、例えば、仮係止孔２８がレバー部材３に設けられ、レバー部材３がコネクタハウジング２に設けられていてもよい。
【００５２】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５３】
【図１】本発明の一実施形態にかかるコネクタを示す斜視図である。
【図２】図１に示されたコネクタハウジングを示す上面図である。
【図３】図１に示されたレバー部材が仮係止位置に位置付けられた状態を示す上面図である。
【図４】図３に示されたレバー部材が本係止位置に位置付けられた状態を示す上面図である。
【符号の説明】
【００５４】
１    コネクタ
２    コネクタハウジング
３    レバー部材
４    係止突起
５    保護部
６    回転規制手段
１０    相手方のコネクタ
２４    端子収容室
３１    側板部
３２    連結板部
Ｐ１    保護部の突出量
Ｐ２    係止突起の突出量
【図１】
2009117059.tif 000003
【図２】
2009117059.tif 000004
【図３】
2009117059.tif 000005
【図４】
2009117059.tif 000006